(57)【要約】      （修正有）【課題】大型化に好適な面光源装置を提供する。【解決手段】複数の光源２２を有するベース部３０と、第１光学部材６０と、第２光学部材７０と、複数のスペーサ部材５０と、を備え、出光面２０ａを有する面光源装置２０に用いられるスペーサ部材５０であって、外周壁となる外周壁部５１Ａと、外周壁部５１Ａによって囲まれる領域内に位置し隣り合う二つの光源２２の間に位置するようになる区画壁部５１Ｂと、を有し、ベース部３０と第１光学部材６０との間に配置された状態において、外周壁部５１Ａの壁厚は、少なくとも他のスペーサ部材５０の外周壁部５１Ａと重ね合わされることになる部分において、区画壁部５１Ｂの壁厚よりも薄い。【選択図】図２
2020021711.tif 000002
【特許請求の範囲】
【請求項１】
複数の光源を有するベース部と、前記ベース部に対向して配置された光学部材と、前記ベース部と前記光学部材との間に配置された複数のスペーサ部材と、を備える面光源装置に用いられるスペーサ部材であって、
外周壁となる外周壁部と、前記外周壁部によって囲まれる領域内に位置し、隣り合う二つの光源の間に位置するようになる区画壁部と、を有し、
前記ベース部と前記光学部材との間に配置された状態において、前記外周壁部は、少なくとも一部分において、他のスペーサ部材の外周壁部と重ね合わされ、
前記外周壁部の壁厚は、少なくとも前記他のスペーサ部材の外周壁部と重ね合わされる部分において、前記区画壁部の壁厚よりも薄い、
スペーサ部材。
【請求項２】
請求項１に記載のスペーサ部材であって、
前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、
前記第１外周壁要素、前記第２外周壁要素、前記第３外周壁要素及び前記第４外周壁要素の壁厚は、前記区画壁部の壁厚よりも薄い、
スペーサ部材。
【請求項３】
複数の光源を有するベース部と、前記ベース部に対向して配置された光学部材と、前記ベース部と前記光学部材との間に配置された複数のスペーサ部材と、を備える面光源装置に用いられるスペーサ部材であって、
外周壁となる外周壁部と、前記外周壁部によって囲まれる領域内に位置し、隣り合う二つの光源の間に位置するようになる区画壁部と、を有し、
前記ベース部と前記光学部材との間に配置された状態において、前記外周壁部は、少なくとも一部分において、他のスペーサ部材の外周壁部と重ね合わされ、
前記外周壁部のうちの前記他のスペーサ部材の外周壁部と重ね合わされる部分に、前記他のスペーサ部材の外周壁部に設けられた凹部に収容可能な凸部、または、前記他のスペーサ部材の外周壁部に設けられた凸部を収容可能な凹部が、設けられている、
スペーサ部材。
【請求項４】
請求項３に記載のスペーサ部材であって、
前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、
前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、
前記第１外周壁面に、第１凸部が設けられ、
前記第２外周壁面に、第２凸部が設けられ、
前記第３外周壁面に、第１凸部を収容可能な形状を有した第１凹部が設けられ、
前記第４外周壁面に、第２凸部を収容可能な形状を有した第２凹部が設けられている、
スペーサ部材。
【請求項５】
複数の光源を有するベース部と、前記ベース部に対向して配置された光学部材と、前記ベース部と前記光学部材との間に配置された複数のスペーサ部材と、を備える面光源装置に用いられるスペーサ部材であって、
外周壁となる外周壁部と、前記外周壁部によって囲まれる領域内に位置し、隣り合う二つの光源の間に位置するようになる区画壁部と、を有し、
前記ベース部と前記光学部材との間に配置された状態において、前記外周壁部は、少なくとも一部分において、他のスペーサ部材の外周壁部と重ね合わされ、
前記外周壁部のうちの前記他のスペーサ部材と重ね合わされる部分での壁面は、前記外周壁部の頂面を含む平面と垂直な方向から傾斜している、
スペーサ部材。
【請求項６】
請求項５に記載のスペーサ部材であって、
前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、
前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、
前記第１外周壁面と前記第２外周壁面と前記第３外周壁面と前記第４外周壁面とは、それぞれ、前記外周壁部の頂面を含む平面に垂直な方向から傾斜しており、
前記第１外周壁面と前記第３外周壁面とは、互いに平行であり、
前記第２外周壁面と前記第４外周壁面とは、互いに平行である、
スペーサ部材。
【請求項７】
複数の光源を有するベース部と、
前記ベース部に対向して配置された光学部材と、
前記ベース部と前記光学部材との間に配置され、前記ベース部及び前記光学部材が対向する方向と直交する方向に並べられた複数のスペーサ部材と、を備え、
各スペーサ部材は、外周壁となる外周壁部と、前記外周壁部によって囲まれる領域内に位置し、隣り合う二つの光源の間に位置するようになる区画壁部と、を有し、
各スペーサ部材の前記外周壁部は、少なくとも一部分において、他のスペーサ部材の外周壁部と重ね合わされている、
面光源装置。
【請求項８】
請求項７に記載の面光源装置であって、
各スペーサ部材の前記外周壁部の壁厚は、少なくとも他のスペーサ部材の外周壁部と重ね合わされる部分において、当該スペーサ部材の区画壁部の壁厚よりも薄い、
面光源装置。
【請求項９】
請求項８に記載の面光源装置であって、
複数の同一形状の前記スペーサ部材を有し、
前記スペーサ部材の前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、
前記第１外周壁要素、前記第２外周壁要素、前記第３外周壁要素及び前記第４外周壁要素の壁厚が前記区画壁部の壁厚よりも薄い、
面光源装置。
【請求項１０】
請求項７に記載の面光源装置であって、
各スペーサ部材の前記外周壁部は、他のスペーサ部材の外周壁部に設けられた凹部に収容可能な凸部、または、前記他のスペーサ部材の外周壁部に設けられた凸部を収容可能な凹部が、設けられている、
面光源装置。
【請求項１１】
請求項１０に記載の面光源装置であって、
複数の同一形状のスペーサ部材を有し、
前記スペーサ部材の前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、
前記スペーサ部材の前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、
前記第１外周壁面に、第１凸部が設けられ、
前記第２外周壁面に、第２凸部が設けられ、
前記第３外周壁面に、第１凸部を収容可能な形状を有した第１凹部が設けられ、
前記第４外周壁面に、第２凸部を収容可能な形状を有した第２凹部が設けられている、
面光源装置。
【請求項１２】
請求項７に記載の面光源装置であって、
各スペーサ部材の前記外周壁部のうちの他のスペーサ部材の外周壁部と重ね合わされる壁面は、前記外周壁部の頂面を含む平面と垂直な方向から傾斜している、
面光源装置。
【請求項１３】
請求項１２に記載の面光源装置であって、
複数の同一形状のスペーサ部材を有し、
前記スペーサ部材の前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、
前記スペーサ部材の前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、
前記第１外周壁面と前記第２外周壁面と前記第３外周壁面と前記第４外周壁面とは、それぞれ、前記外周壁部の頂面を含む平面に垂直な方向から傾斜しており、
前記第１外周壁面と前記第３外周壁面とは、互いに平行であり、
前記第２外周壁面と前記第４外周壁面とは、互いに平行である、
面光源装置。
【請求項１４】
請求項７から１３のいずれか１つに記載の面光源装置と、前記面光源装置の出光面と対向して配置された表示パネルと、を有する、表示装置。
【請求項１５】
複数の光源を有するベース部と、前記ベース部に対向して配置された光学部材と、前記ベース部と前記光学部材との間に配置され前記ベース部及び前記光学部材が対向する方向と直交する方向に並べられた複数のスペーサ部材と、を備える面光源装置の製造方法であって、
前記複数のスペーサ部材の各々を前記光学部材に固定する第１工程と、
前記第１工程の後に、前記複数のスペーサ部材及び前記光学部材を前記ベース部上に配置する第２工程と、を有する
面光源装置の製造方法。
【発明の詳細な説明】
【技術分野】
【０００１】
本開示は、面光源装置に用いられるスペーサ部材、面光源装置、この面光源装置を備える表示装置、及び面光源装置の製造方法に関する。
【背景技術】
【０００２】
面状に発光する面光源装置が、例えば液晶表示装置に組み込まれた液晶表示パネルを背面側から照明するバックライトとして、広く普及している。液晶表示装置用の面光源装置は、大別すると、光学部材の側方に光源を配置するエッジライト型と、光学部材の直下に光源を配置する直下型と、に分類される。光源としては、例えば発光ダイオード（ＬＥＤ）が用いられる。
【０００３】
直下型の面光源装置において、面光源装置を薄型化しながらムラのない映像を表示するために、光源と液晶表示パネルとの間に照度分布調整板を配置して、この照度分布調整板により面光源装置の発光面内の光量分布を調整する技術が知られている。
【０００４】
特許文献１には、ＬＥＤ光源と、光を透過せずに光を反射する材質からなる反射プレートと、を有する照明ユニットが開示されている。反射プレートにはマトリクス状に配列された複数の光通過孔が形成されている。複数の光通過孔の各々の開口面積は、ＬＥＤ光源と対向する対向部からの距離が短いほど小さくなっている。このような照明ユニットによれば、ＬＥＤ光源から直接到達する光の密度が高い位置に近い光通過孔ほど光通過量が少なくなり、ＬＥＤ光源から直接到達する光の密度が低い位置の光通過孔は光通過量が多くなる。これにより、反射プレートの各領域を通過する光量の面内分布を均一に近づけることができ、照明装置の発光面上における明るさの面内分布を均一に近づけることができる。
【先行技術文献】
【特許文献】
【０００５】
【特許文献１】特開２０１２−１７４３７２号公報
【発明の概要】
【発明が解決しようとする課題】
【０００６】
液晶表示パネルの大型化に対応するために、面光源装置の大型化が求められている。面光源装置の大型化により、面光源装置の構成部材も大型化することになり、その構成部材を製造する装置も大型化し、面光源装置のサイズごとに製造装置及び金型を用意する必要がある。さらに、面光源装置の構成部材は、その大型化により、反りが出やすくなり、熱による膨張収縮の影響も受けやすくなる。
【０００７】
本開示は、このような点を鑑みてなされたものであり、面光源装置を大型化に好適なものとすることを課題とする。
【課題を解決するための手段】
【０００８】
上記課題を解決するために、本開示の一実施形態のスペーサ部材は、複数の光源を有するベース部と、前記ベース部に対向して配置された光学部材と、前記ベース部と前記光学部材との間に配置された複数のスペーサ部材と、を備える面光源装置に用いられるスペーサ部材であって、外周壁となる外周壁部と、前記外周壁部によって囲まれる領域内に位置し、隣り合う二つの光源の間に位置するようになる区画壁部と、を有し、前記ベース部と前記光学部材との間に配置された状態において、前記外周壁部は、少なくとも一部分において、他のスペーサ部材の外周壁部と重ね合わされ、前記外周壁部の壁厚は、少なくとも前記他のスペーサ部材の外周壁部と重ね合わされる部分において、前記区画壁部の壁厚よりも薄い。
【０００９】
また、前記スペーサ部材において、前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、前記第１外周壁要素、前記第２外周壁要素、前記第３外周壁要素及び前記第４外周壁要素の壁厚は、前記区画壁部の壁厚よりも薄くてもよい。
【００１０】
本開示の一実施形態のスペーサ部材は、複数の光源を有するベース部と、前記ベース部に対向して配置された光学部材と、前記ベース部と前記光学部材との間に配置された複数のスペーサ部材と、を備える面光源装置に用いられるスペーサ部材であって、外周壁となる外周壁部と、前記外周壁部によって囲まれる領域内に位置し、隣り合う二つの光源の間に位置するようになる区画壁部と、を有し、前記ベース部と前記光学部材との間に配置された状態において、前記外周壁部は、少なくとも一部分において、他のスペーサ部材の外周壁部と重ね合わされ、前記外周壁部のうちの前記他のスペーサ部材の外周壁部と重ね合わされる部分に、前記他のスペーサ部材の外周壁部に設けられた凹部に収容可能な凸部、または、前記他のスペーサ部材の外周壁部に設けられた凸部を収容可能な凹部が、設けられている。
【００１１】
また、前記スペーサ部材において、前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、前記第１外周壁面に、第１凸部が設けられ、前記第２外周壁面に、第２凸部が設けられ、前記第３外周壁面に、第１凸部を収容可能な形状を有した第１凹部が設けられ、前記第４外周壁面に、第２凸部を収容可能な形状を有した第２凹部が設けられていてもよい。
【００１２】
本開示の一実施形態のスペーサ部材は、複数の光源を有するベース部と、前記ベース部に対向して配置された光学部材と、前記ベース部と前記光学部材との間に配置された複数のスペーサ部材と、を備える面光源装置に用いられるスペーサ部材であって、外周壁となる外周壁部と、前記外周壁部によって囲まれる領域内に位置し、隣り合う二つの光源の間に位置するようになる区画壁部と、を有し、前記ベース部と前記光学部材との間に配置された状態において、前記外周壁部は、少なくとも一部分において、他のスペーサ部材の外周壁部と重ね合わされ、前記外周壁部のうちの前記他のスペーサ部材と重ね合わされる部分での壁面は、前記外周壁部の頂面を含む平面と垂直な方向から傾斜している。
【００１３】
また、前記スペーサ部材において、前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、前記第１外周壁面と前記第２外周壁面と前記第３外周壁面と前記第４外周壁面とは、それぞれ、前記外周壁部の頂面を含む平面に垂直な方向から傾斜しており、前記第１外周壁面と前記第３外周壁面とは、互いに平行であり、前記第２外周壁面と前記第４外周壁面とは、互いに平行であってもよい。
【００１４】
本開示の一実施形態の面光源装置は、複数の光源を有するベース部と、前記ベース部に対向して配置された光学部材と、前記ベース部と前記光学部材との間に配置され、前記ベース部及び前記光学部材が対向する方向と直交する方向に並べられた複数のスペーサ部材と、を備え、各スペーサ部材は、外周壁となる外周壁部と、前記外周壁部によって囲まれる領域内に位置し、隣り合う二つの光源の間に位置するようになる区画壁部と、を有し、各スペーサ部材の前記外周壁部は、少なくとも一部分において、他のスペーサ部材の外周壁部と重ね合わされている。
【００１５】
また、前記面光源装置において、各スペーサ部材の前記外周壁部の壁厚は、少なくとも他のスペーサ部材の外周壁部と重ね合わされる部分において、当該スペーサ部材の区画壁部の壁厚よりも薄くてもよい。さらに、前記面光源装置において、複数の同一形状の前記スペーサ部材を有し、前記スペーサ部材の前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、前記第１外周壁要素、前記第２外周壁要素、前記第３外周壁要素及び前記第４外周壁要素の壁厚が前記区画壁部の壁厚よりも薄くてもよい。
【００１６】
また、前記面光源装置において、各スペーサ部材の前記外周壁部は、他のスペーサ部材の外周壁部に設けられた凹部に収容可能な凸部、または、前記他のスペーサ部材の外周壁部に設けられた凸部を収容可能な凹部が、設けられていてもよい。さらに、前記面光源装置において、複数の同一形状のスペーサ部材を有し、前記スペーサ部材の前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、前記スペーサ部材の前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、前記第１外周壁面に、第１凸部が設けられ、前記第２外周壁面に、第２凸部が設けられ、前記第３外周壁面に、第１凸部を収容可能な形状を有した第１凹部が設けられ、前記第４外周壁面に、第２凸部を収容可能な形状を有した第２凹部が設けられていてもよい。
【００１７】
また、前記面光源装置において、各スペーサ部材の前記外周壁部のうちの他のスペーサ部材の外周壁部と重ね合わされる壁面は、前記外周壁部の頂面を含む平面と垂直な方向から傾斜していてもよい。さらに、前記面光源装置において、複数の同一形状のスペーサ部材を有し、前記スペーサ部材の前記外周壁部は、前記外周壁部の頂面を含む平面と垂直な方向から見て四角形形状であり、前記四角形形状の４つの辺の１つに対応する第１外周壁要素と、前記第１外周壁要素と隣接する第２外周壁要素と、前記第１外周壁要素と対向する第３外周壁要素と、前記第２外周壁要素と対向する第４外周壁要素と、を有し、前記スペーサ部材の前記外周壁部は、前記第１外周壁要素の外側の壁面である第１外周壁面と、前記第２外周壁要素の外側の壁面である第２外周壁面と、前記第３外周壁要素の外側の壁面である第３外周壁面と、前記第４外周壁要素の外側の壁面である第４外周壁面と、を有し、前記第１外周壁面と前記第２外周壁面と前記第３外周壁面と前記第４外周壁面とは、それぞれ、前記外周壁部の頂面を含む平面に垂直な方向から傾斜しており、前記第１外周壁面と前記第３外周壁面とは、互いに平行であり、前記第２外周壁面と前記第４外周壁面とは、互いに平行であってもよい。
【００１８】
本開示の一実施形態の表示装置は、前記面光源装置と、前記面光源装置の出光面と対向して配置された表示パネルと、を有する。
【００１９】
本開示の一実施形態の面光源装置の製造方法は、複数の光源を有するベース部と、前記ベース部に対向して配置された光学部材と、前記ベース部と前記光学部材との間に配置され前記ベース部及び前記光学部材が対向する方向と直交する方向に並べられた複数のスペーサ部材と、を備える面光源装置の製造方法であって、前記複数のスペーサ部材の各々を前記光学部材に固定する第１工程と、前記第１工程の後に、前記複数のスペーサ部材及び前記光学部材を前記ベース部上に配置する第２工程と、を有する。
【発明の効果】
【００２０】
本開示の一実施形態によれば、面光源装置を大型化に好適なものとすることが可能である。
【図面の簡単な説明】
【００２１】
【図１】本開示による一実施の形態を説明するための図であって、面光源装置を備えた表示装置の一例を概的に示す図である。
【図２】図１に示された面光源装置を概略的に示す分解斜視図である。
【図３】図１に示された面光源装置を概略的に示す斜視図である。
【図４】図１に示された面光源装置を概略的に示す縦断面図であって、図３のＡ−Ａ断面である。
【図５】図１に示された面光源装置のスペーサ部材を概略的に示す横断面図であって、図４のＢ−Ｂ断面である。
【図６】図１に示された面光源装置の照度分布調整板を概略的に示す正面図であって、図４のＣ−Ｃ断面である。
【図７】図１に示された面光源装置の光源の周辺の拡大縦断面図であって、図４の領域Ｄであり、図６のＥ−Ｅ線に相当する断面である。
【図８】図１に示された面光源装置の照度分布調整板の一つの区画領域を示す平面図であって、要素領域及び光透過孔の配置パターンの一例を示す図である。
【図９】図１に示された面光源装置に用いられる複数のスペーサ部材の一例を概略的に示す斜視図である。
【図１０】図１に示された面光源装置に用いられる複数のスペーサ部材の一例を概略的に示す横断面図であって、図９のＦ−Ｆ断面である。
【図１１】図１に示された面光源装置のスペーサ部材が面光源装置内に配置された状態を概略的に示す正面図である。
【図１２】第１変形例のスペーサ部材が面光源装置内に配置された状態を概略的に示す正面図である。
【図１３】図１に示された面光源装置のスペーサ部材の外周壁面の凸部及び凹部の一例を概略的に示す縦断面図であって、図１１のＧ−Ｇ断面である。
【図１４】図１に示された面光源装置のスペーサ部材の外周壁面の凸部及び凹部の一例を概略的に示す横断面図であって、図１３のＨ−Ｈ断面である。
【図１５】第２変形例のスペーサ部材の外周壁面の凸部及び凹部の一例を概略的に示す縦断面図であって、図１１のＧ−Ｇ断面である。
【図１６】第３変形例のスペーサ部材が面光源装置内に配置された状態を概略的に示す正面図である。
【図１７】第４変形例のスペーサ部材の一例を概略的に示す斜視図である。
【図１８】第４変形例のスペーサ部材が面光源装置内に配置された状態を概略的に示す斜視図である。
【図１９】第４変形例のスペーサ部材が面光源装置内に配置された状態における外周壁部の周辺部を概略的に示す縦断面図であって、図１８のＩ−Ｉ断面である。
【図２０Ａ】図１に示された面光源装置の製造方法を概略的に示す斜視図である。
【図２０Ｂ】図１に示された面光源装置の製造方法を概略的に示す斜視図である。
【図２０Ｃ】図１に示された面光源装置の製造方法を概略的に示す斜視図である。
【図２１】図２０Ａから図２０Ｃに示された面光源装置の製造方法によって製造された面光源装置のスペーサ部材５０の接合部周辺を概略的に示す縦断面図である。
【図２２Ａ】比較例の面光源装置の製造方法によって製造された面光源装置のスペーサ部材の接合部周辺を概略的に示す縦断面図である。
【図２２Ｂ】比較例の面光源装置の製造方法によって製造された面光源装置のスペーサ部材の接合部周辺を概略的に示す縦断面図である。
【発明を実施するための形態】
【００２２】
以下、図面を参照して本開示の実施形態について説明する。なお、本件明細書に添付する図面においては、図示と理解のしやすさの便宜上、適宜縮尺および縦横の寸法比等を、実物のそれらから変更し誇張してある。
【００２３】
本明細書において、「板」、「シート」、「フィルム」の用語は、呼称の違いのみに基づいて、互いから区別されるものではない。例えば、「板」は「シート」や「フィルム」と呼ばれ得るような部材をも含む概念であり、したがって、例えば、「照度分布調整板」は、「照度分布調整シート」や「照度分布調整フィルム」と呼ばれる部材と、呼称の違いのみにおいて区別され得ない。
【００２４】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。なお、本明細書において、面及び板状（シート状、フィルム状）の部材の法線方向とは、対象となる面及び板状（シート状、フィルム状）の部材の板面への法線方向のことを指す。
【００２５】
さらに、本明細書において用いる、形状や幾何学的条件並びにそれらの程度を特定する、例えば、「平行」、「直交」、「同一」、「半分」等の用語や長さや角度の値等については、厳密な意味に縛られることなく、同様の機能を期待し得る程度の範囲を含めて解釈することとする。
【００２６】
図１は、本開示の実施形態の面光源装置２０を備えた表示装置１０の一例を概略的に示す図である。以下、図１の実施形態を「本実施形態」という。表示装置１０は、出光面２０ａを有する面光源装置２０と、出光面２０ａと対向して配置された表示パネル１５と、を有している。図示された例では、表示パネル１５は透過型の液晶表示パネルとして構成されており、したがって表示装置１０は液晶表示装置として構成されている。本実施形態では、面光源装置２０はいわゆる直下型のバックライトを構成しており、表示パネル１５の背面側すなわち観察者５と反対側から表示パネル１５を照明する。
【００２７】
図示された例では、表示パネル１５は、映像が表示される表示面１５ａが面光源装置２０の反対側を向くように配置されている。これにより、表示パネル１５の表示面１５ａが表示装置１０の表示面１０ａを形成する。表示パネル１５は、表示パネル１５の法線方向から見て、すなわち平面視において、矩形形状に形成されている。
【００２８】
面光源装置２０は、面状の光を出射する出光面２０ａを有しており、出光面２０ａの法線方向に出光面２０ａと対向する領域内に光源２２が設けられた、いわゆる直下型のバックライトとして構成されている。
【００２９】
本実施形態の面光源装置２０を備えた表示装置１０の表示パネルは、透過型の液晶表示パネルに限定されず、光を印刷が施された透明なフィルム等を透過させて画像を表示するものや、光の一部を遮光物によって明暗を表示するものであってもよい。
【００３０】
図１を含む以下の図中及び以下の説明において、理解を容易にするために、面光源装置２０の出光面２０ａに平行であって互いに直交する２方向をＸ方向（図１の右方向）及びＹ方向（図１の奥方向）とし、面光源装置２０の出光面２０ａに直交する方向、つまり、Ｘ方向及びＹ方向に直交する方向をＺ方向（図１の上方向）とする。また、以下の説明において、Ｚ方向を垂直方向又は縦方向といい、ＸＹ面の面内方向を水平方向又は横方向ということもある。また、面光源装置２０の出光面２０ａ側を正面側とし、その反対側を背面側とする。
【００３１】
図２から図１９は、本実施形態の面光源装置２０の一具体例といくつかの変形例とを示す図である。このうち、図２は、面光源装置２０を概略的に示す分解斜視図である。
【００３２】
図２に示された面光源装置２０は、光源２２を有するベース部３０と、複数のスペーサ部材５０と、第１光学部材６０と、第２光学部材７０と、を有している。図示された例では、ベース部３０の上に、Ｚ方向に、複数のスペーサ部材５０及び第１光学部材６０が順に積層され、第１光学部材６０から所定の距離だけ離間して、第２光学部材７０が配置されている。ベース部３０は、光源２２を有する光源基板積層体４０と、光源基板積層体４０を支持するベース部材３５と、を有している。第１光学部材６０は、照度分布調整板６０である。第２光学部材７０は、拡散板７１、第１光学シート７２及び第２光学シート７３が順に積層された積層体である。そして、第２光学部材７０の第２光学シート７３が面光源装置２０の出光面２０ａをなしている。ベース部３０は、第１光学部材６０とＺ方向に対向している。複数のスペーサ部材５０は、Ｚ方向に沿って、ベース部３０及び第１光学部材６０の間に配置されている。
【００３３】
図３は、面光源装置２０を概略的に示す斜視図であり、図４は、面光源装置２０を概略的に示す縦断面図であり、図３のＡ−Ａ線に沿った断面を示している。図５は、面光源装置２０のスペーサ部材５０を概略的に示す横断面図であり、図４のＢ−Ｂ線に沿った断面を示している。
【００３４】
光源２２は、例えば発光ダイオード（ＬＥＤ）等で構成され、照度分布調整板６０と対向して配置されている。図２によく示されているように、光源２２は、面光源装置２０の出光面２０ａに平行なＸ方向に沿って並べて配置される、すなわち配列される、とともに、面光源装置２０の出光面２０ａに平行且つＸ方向と交差するＹ方向に沿って配列される。なお、各光源２２の出力、すなわち、各光源２２の点灯及び消灯、及び／又は、各光源２２の点灯時の明るさは、他の光源２２の出力から独立して調節され得ることが好ましい。
【００３５】
スペーサ部材５０は、照度分布調整板６０を支持する部材であり、光源基板積層体４０と照度分布調整板６０との間を所定の距離に保つ機能を有している。図示された例では、複数の同一形状のスペーサ部材５０が、ベース部３０と第１光学部材６０との間に配置され、ベース部３０及び第１光学部材６０が対向する方向（Ｚ方向）と直交する方向に並べられており、より具体的には、Ｘ方向に配列さるとともに、Ｙ方向に配列されている。複数のスペーサ部材５０は、接合部５５において互いに接合している。このように、スペーサが複数の別体のスペーサ部材５０の組み合わせによって構成されることで、言い換えると、スペーサを複数のスペーサ部材５０に分割することにより、様々なサイズの面光源装置２０に対応することができるようになっている。なお、本明細書において、「接合」との用語は、隣り合うスペーサ部材５０が固定手段によって固定されている場合だけでなく、隣り合うスペーサ部材５０がベース部３０や第１光学部材６０を介して固定されている場合や、隣り合うスペーサ部材５０が固定されずに単に接して配置されている場合も含むものとして解釈される。また、複数の「同一形状」のスペーサ部材とは、形および大きさの両方において同一となっていること意味している。
【００３６】
図２、図４及び図５に示されているように、複数のスペーサ部材５０は、ベース部３０と第１光学部材６０との間において、各光源を取り囲んで他の光源から仕切る区画壁を形成する。このため、各スペーサ部材５０は、壁部５１を有している。複数のスペーサ部材５０によって、隣り合う二つの光源２２の間を仕切る壁部と、Ｘ方向またはＹ方向における最外方に位置する光源を区画して複数のスペーサ部材５０の外輪郭を画成する壁部と、が設けられている。これにより、各光源２２に対応して、壁部５１で囲まれた開口５２が形成されている。図示された例では、スペーサ部材５０は、平面視において（Ｚ方向から見て）、Ｘ方向に配列されＹ方向に延びる複数の壁部５１と、Ｙ方向に配列されＸ方向に延びる複数の壁部５１と、が格子状をなすように配置されている。開口５２は、光源２２の配置パターンに対応して設けられる。すなわち、スペーサ部材５０は、Ｘ方向及びＹ方向に配列された、複数の開口５２を有している。
【００３７】
図示された例では、各開口５２は、平面視において（Ｚ方向から見て）矩形形状とりわけ正方形をなして形成されているが、開口５２の形状はこれに限られない。また、図示された例では、１つのスペーサ部材５０が３×３の９つの開口５２を有しているが、これは図面の理解のしやすさの観点によるものであり、この例に限定されるものではない。スペーサ部材５０は、一例として、２２ｍｍ×２４．４ｍｍ×２ｍｍの大きさとし、６×６の計３６個の開口を有するものとすることが考えられる。
【００３８】
このようなスペーサ部材５０は、例えばポリカーボネート樹脂、アクリロニトリル−ブタジエン−スチレン共重合樹脂（ＡＢＳ樹脂）、アクリロニトリル−スチレン−アクリレート共重合樹脂（ＡＳＡ樹脂）、アクリロニトリル−ブタジエン−スチレン共重合樹脂（ＡＥＳ樹脂）、ポリメチルメタクリレート樹脂（ＰＭＭＡ樹脂）、ポリアセタール樹脂、ポリ塩化ビニル樹脂、ポリエチレン樹脂、ポリプロピレン樹脂、ポリエチレンテレフタレート樹脂、又はこれらの樹脂を２種以上混合した混合物等で形成することができる。とりわけスペーサ部材５０は、可視光波長域の光に対する高い反射性を有する材料で構成されることが好ましい。また、このようなスペーサ部材５０は、一例として、射出成形により製造される。
【００３９】
図６は、面光源装置２０の照度分布調整板６０を概略的に示す正面図であって、図４のＣ−Ｃに沿った断面を示している。照度分布調整板６０は、照度の面内方向（ＸＹ平面内方向）の分布、すなわち、照度分布調整板６０の各領域を透過する光量の面内での分布を調整する機能を有している。図６においては、照度分布調整板６０の背面側に配置される光源２２及びスペーサ部材５０の開口５２の位置が破線で示されている。この照度分布調整板６０は、光源２２から出射した光を透過させるための複数の光透過孔６２が形成された基材６１を備えている。そして、この照度分布調整板６０は、照度の面内分布を均一化させるように機能する。なお、図６では、光透過孔６２の図示は省略されている。
【００４０】
照度分布調整板６０の基材６１は、各光源２２に対応した１以上の区画領域Ａａを有している。すなわち、基材６１には、一つの光源２２に対して一つの区画領域Ａａが設けられている。したがって、基材６１は、Ｘ方向に沿って配列されるとともに、Ｙ方向に沿って配列された、複数の区画領域Ａａを有している。図６では、基材６１における一点鎖線で区画された領域がそれぞれの区画領域Ａａを示している。図示された例では、各区画領域Ａａは平面視で矩形形状に形成されているが、区画領域Ａａの形状はこれに限られない。なお、各区画領域Ａａは、規則的に配列された複数の要素領域Ａｂにさらに区分けされる。要素領域Ａｂの具体的な形状及び配列パターンについては後述する。
【００４１】
図６に示された例では、基材６１の隣り合う区画領域Ａａを区画する区画線Ｌａは、スペーサ部材５０の壁部５１に沿って定義される。言い換えると、区画線Ｌａは、照度分布調整板６０の法線方向（Ｚ方向）に沿ってスペーサ部材５０の壁部５１と対向する領域内に位置するように定義される。結果として、区画線Ｌａは、全体として、Ｘ方向に配列されＹ方向に延びる複数の区画線Ｌａと、Ｙ方向に配列されＸ方向に延びる複数の区画線Ｌａと、が格子状をなすように定義される。図示された例では、各区画領域Ａａは、Ｘ方向に沿った幅Ｗ１と、Ｙ方向に沿った幅Ｗ２とを有する。この幅Ｗ１及び幅Ｗ２は、例えば５ｍｍ以上５０ｍｍ以下とすることができる。
【００４２】
図７は、面光源装置２０の光源２２の周辺の拡大縦断面図である。より詳しくは、図７は、図４の領域Ｄを示し、図６のＥ−Ｅ線に沿った断面を示している。つまり、図７は、照度分布調整板６０の基材６１における一つの区画領域Ａａに対応する面光源装置２０の断面を示している。
【００４３】
ベース部材３５は、光源基板積層体４０を支持及び保持する基材として機能する部材である。ベース部材３５の材料としては、光源基板積層体４０を適切に保持することができるものであれば特に限られないが、例えば金属や樹脂等を用いることができる。とりわけアルミニウム等の熱伝導性の良い金属材料で形成されたベース部材３５を用いると、光源２２で生じた熱をこのベース部材３５を介して面光源装置２０の背面側へ向けて放熱することができるので、より好ましい。このベース部材３５の厚さは、例えば０．５ｍｍ以上１０ｍｍ以下とすることができる。なお、ベース部材３５は、面光源装置２０の筐体の一部をなしていてもよい。
【００４４】
光源基板積層体４０は、リジッド基板として構成された基板４１と、配線層４２と、レジスト層４３と、光反射層４４と、がこの順に積層された積層体である。光源基板積層体４０は、接着剤、粘着剤、両面テープ、ビス、ネジなどにより、ベース部材３５に固定される。
【００４５】
基板４１は、配線層４２を保持する基材として機能する部材であり、配線層４２とともにプリント配線板を形成する。この基板４１の厚さは、例えば０．１ｍｍ以上３ｍｍ以下とすることができる。基板４１の材料としては、絶縁性、耐熱性、耐久性、加熱時の寸法安定性、機械的強度等を考慮して適宜選択され得るが、例えば、紙フェノール基板、紙エポキシ基板、ガラスコンポジット基板、ガラスエポキシ基板、セラミックス基板、アルミベース基板などを用いることができる。
【００４６】
また、本開示の実施形態の光源基板積層体４０の基板４１は、リジッド基板ではなく、可撓性を有する樹脂フィルムで形成されたフィルム基板であってもよい。この場合、フィルム基板は、配線層４２とともにフレキシブルプリント配線板を形成する。このフィルム基板の厚さは、例えば１０μｍ以上５００μｍ以下とすることができる。フィルム基板の材料としては、絶縁性、耐熱性、耐久性、加熱時の寸法安定性、機械的強度等を考慮して適宜選択され得るが、例えば、ポリイミド（ＰＩ）や、ポリエチレンナフタレート（ＰＥＮ）、ポリエチレンテレフタレート（ＰＥＴ）を用いることができる。従来のリジッド基板よりも薄いフィルム基板を用いることにより、面光源装置２０を薄型化することができる。
【００４７】
配線層４２は、基板４１上に設けられ、光源２２に対して電源を供給する機能を有する。そのため、配線層４２は、導電性の高い金属材料で形成されることが好ましい。配線層４２を形成する金属材料としては、例えば、銅、アルミニウム、金、銀等又はこれらの合金等の金属材料を挙げることができる。一例として、配線層４２は、サブトラクト法を用いて形成することができる。すなわち、基板４１上に配置された銅箔等の金属層を、フォトリソグラフィー技術を用いたエッチングによりパターニングすることにより、所望のパターンを有する配線層４２を形成することができる。なお、これに限られず、配線層４２は、アディティブ法やセミアディティブ法等の他の方法を用いて形成されてもよい。なお、配線層４２における、光源２２や他の配線又はコネクタとの接続部には、電極部（図示せず）が設けられる。
【００４８】
配線層４２、及び、配線層４２から露出した基板４１上には、レジスト層４３が設けられる。とりわけレジスト層４３は、配線層４２の電極部となる箇所を除いて、配線層４２、及び、配線層４２から露出した基板４１を覆うようにして設けられる。このレジスト層４３は、配線層４２を保護するとともに、配線層４２と他の部材との間の短絡を防止する機能を有する。レジスト層４３の材料としては、例えば、ポリエステル系樹脂、エポキシ系樹脂、エポキシ系及びフェノール系樹脂、エポキシアクリレート樹脂、シリコーン系樹脂等の樹脂材料を用いることができる。レジスト層４３は、一例として、配線層４２及び基板４１全体を覆うように樹脂層を設け、フォトリソグラフィー技術を用いたエッチングにより配線層４２の電極部となる箇所に、当該電極部を露出させる開口を設けることにより形成することができる。また、レジスト層４３は、一例として、スクリーン印刷などの印刷方式により形成することができる。
【００４９】
光反射層４４は、光源２２から出射した光の利用効率を向上させるために設けられる層であり、光源２２から出射して照度分布調整板６０で反射されてその光路を光反射層４４側に向けて曲げられた光を、再び照度分布調整板６０へ向けて反射させる機能を有する。そのため、光反射層４４は、可視光波長域の光に対する高い反射性を有する層であることが好ましい。また、光反射層４４は、照度分布調整板６０の光源２２と同じ側に照度分布調整板６０と平行をなして配置される。図７に示された例では、光反射層４４は、光源２２が配置されるべき箇所を除いて、レジスト層４３上に積層されている。図示された例では、光反射層４４は、平面視において光源２２を囲むようにして配置されている。また、図示された例では、光反射層４４は、レジスト層４３の光源２２を囲む内周縁部を露出させるようにして設けられている。なお、これに限られず、光反射層４４は、例えばレジスト層４３の光源２２を囲む内周縁部が露出しないように、レジスト層４３の内周縁部と光反射層４４の内周縁部が一致するようにして設けられていてもよい。光反射層４４としては、例えば白色の樹脂材料で形成された層を用いることができる。
【００５０】
光源２２は、導電接続層４５を介して配線層４２の電極部に接続されている。導電接続層４５としては、例えば、はんだ、導電性接着剤、異方導電フィルム、異方導電接着剤等からなる層を用いることができる。
【００５１】
図８は、第１光学部材を構成する照度分布調整板６０の一つの区画領域Ａａを示す平面図であって、要素領域Ａｂ及び光透過孔６２の配置パターンの一例を示す図である。
【００５２】
照度分布調整板６０は、光源２２から出射した光を透過させる複数の光透過孔６２が形成された基材６１を備えている。複数の光透過孔６２は、各区画領域Ａａ内において、光源２２の直上に対面する区画領域Ａａの中心Ｏ１から離れるほどその開口面積が大きくなるパターンにて配置されている。
【００５３】
図８に示された区画領域Ａａは、規則的に配列された複数の要素領域Ａｂにさらに区分けされる。図８に示された例では、区画領域Ａａ内に、平面視において正六角形形状を有する各要素領域Ａｂが同一のピッチで並べられている。つまり、複数の要素領域Ａｂは、いわゆるハニカム状に配列されている。図示された例では、各要素領域Ａｂは平面視で正六角形形状とされているが、要素領域Ａｂの形状はこれに限られない。例えば、各要素領域Ａｂは、平面視において矩形形状等の他の形状をなしていてもよい。各要素領域Ａｂの幅は、一例として、０．２ｍｍ以上１０ｍｍ以下とすることができる。
【００５４】
基材６１の法線方向に投影したときに、図示された例ではＺ方向に投影したときに、光源２２と重なる要素領域Ａｂ以外の要素領域Ａｂには、それぞれ一つの光透過孔６２が形成されている。各光透過孔６２は、平面視において円形の輪郭を有している。この場合、光源２２から出射して各光透過孔６２を透過した光は、当該光透過孔６２から、基材６１の板面方向（ＸＹ平面内方向）において等方的に出射する。ただし、これに限られず、各光透過孔６２は、平面視において楕円形、三角形、矩形、六角形等の他の平面形状を有するように形成してもよい。
【００５５】
光透過孔６２の寸法は、光源２２と重なる要素領域Ａｂから区画領域Ａａの周縁に向かうにつれて大きくなるように変化している。ここで、光透過孔６２の寸法が、光源２２と重なる要素領域Ａｂから区画領域Ａａの周縁に向かうにつれて大きくなるように変化するとは、光透過孔６２の寸法が、光源２２と重なる要素領域Ａｂから区画領域Ａａの周縁に向かうにつれて常に大きくなるように変化する場合のみならず、一部の領域において光透過孔６２の寸法が変化しない場合をも含む。換言すると、光透過孔６２の寸法が、光源２２と重なる要素領域Ａｂから区画領域Ａａの周縁に向かうにつれて大きくなるように変化するとは、光透過孔６２の寸法が、光源２２と重なる要素領域Ａｂから区画領域Ａａの周縁に向かうにつれて小さくなるように変化する領域を有しないことを意味する。
【００５６】
照度分布調整板６０は、光源２２から出射した光の利用効率を向上させる機能も有しており、当該照度分布調整板６０に入射した光を反射させてその光路を光反射層４４側に向けて折り返すことができるように構成されている。このため、照度分布調整板６０の基材６１は、可視光波長域の光に対する高い反射性を有する層であることが好ましい。基材６１は、例えば白色の樹脂材料で形成される。一例として、基材６１は、発泡ポリエチレンテレフタレート（発泡ＰＥＴ）等の発泡樹脂で形成されてもよい。照度分布調整板６０の厚さは、一例として、０．０５ｍｍ以上１ｍｍ以下である。
【００５７】
図示された例では、照度分布調整板６０は、低い光透過性を有する材料で形成された基材６１を有し、光透過孔６２は、基材６１に形成された物理的な孔、すなわち対向する基材６１の二つの主面のうちの一方の主面から他方の主面へ延びる貫通孔として形成されているが、光透過孔６２の具体的構成は、これに限られない。光透過孔６２は、照度分布調整板６０の板面への法線方向（Ｚ方向）の一方側から他方側へ光が透過可能な部分として形成されていればよく、例えば、照度分布調整板６０が、光透過性を有する板状の透明基材と、この透明基材上とりわけ透明基材の光源２２側の主面上に設けられた光反射層と、を有し、光透過孔６２が、この光反射層内に設けられた開口部として構成されてもよい。この場合、透明基材には物理的な孔を設けなくてもよい。
【００５８】
図７に示されているように、光源２２から照度分布調整板６０へ向けて出射した光は、照度分布調整板６０で反射されて光反射層４４側へ向けて進む。光反射層４４に入射した光は、当該光反射層４４で反射されて照度分布調整板６０へ向けて進む。これを繰り返した光が照度分布調整板６０の光透過孔６２のいずれかに入射すると、当該光は光透過孔６２を透過（言い換えると、通過）して照度分布調整板６０から表示パネル１５側、図７に示された例では拡散板７１側へ向けて出射する。このとき、光源２２から出射して照度分布調整板６０と光反射層４４との間で反射を繰り返しながら照度分布調整板６０の板面と略平行な方向（一例として図７のＸ方向）に進む光の量は、光源２２から離れるにしたがって低下していく。しかし、図示された照度分布調整板６０では、上述のように、複数の光透過孔６２が、光源２２の直上に対面する区画領域Ａａの中心Ｏ１から離れるほどその開口面積が大きくなるパターンにて配置されているので、各光透過孔６２を透過する光量の均一化が図れ、結果として照度の面内分布の均一化が図られる。
【００５９】
なお、スペーサ部材５０は、部材の材料及び部材表面の微細な凹凸構造により、反射率及び透過率が調整されており、照度分布調整板６０の板面と略平行な方向に進み、スペーサ部材５０の壁部５１に入射した光は、当該スペーサ部材５０で反射され光源２２側へ向けてその光路を曲げられる。これにより、光源２２から出射した光の利用効率をさらに向上させることができる。また、スペーサ部材５０の表面で反射されずに透過した光は、隣の開口５２又はスペーサ部材５０上の光透過孔６２へ出射する。このように、本実施形態のスペーサ部材５０は、照度分布を調整する機能を有している。
【００６０】
図示された例における拡散板７１は、当該拡散板７１に入射した光を拡散する機能を有した板状部材とすることができる。これにより、照度の面内分布を均一化させ、照度分布調整板６０の光透過孔６２の像を目立たなくさせることができる。拡散板７１としては、光拡散機能を有する部材であれば特に限定されることなく使用可能であるが、例えば、表面に微細な凹凸を有する樹脂板やガラス板、内部に拡散粒子を有する樹脂板やガラス板を用いることができる。
【００６１】
図示された例における第１光学シート７２は、光源２２側から入射した光の進行方向を変化させて表示パネル１５側から出射させ、第１光学シート７２の法線方向（Ｚ方向）における輝度を集中的に向上させるための集光シートとすることができる。集光シートは、一例として、そのシート面上のある方向に沿って配列された複数の単位プリズムを有したシート状の部材とすることができる。この集光シートとしては、例えば米国３Ｍ社から入手可能な「ＢＥＦ」（登録商標）を用いることができる。
【００６２】
また、図示された例における第２光学シート７３は、その透過軸と平行な方向の偏光成分を透過させ、その透過軸に直交する反射軸と平行な方向の偏光成分を反射する反射型偏光板とすることができる。この反射型偏光板によれば、面光源装置２０から出射し表示パネル１５で有効に利用され得ない偏光成分の光が、当該表示パネル１５へ入射して偏光板で吸収されてしまうことを防止することができる。したがって、光源光の利用効率を向上させて、照度特性を改善することができる。この反射型偏光板としては、例えば米国３Ｍ社から入手可能な「ＤＢＥＦ」（登録商標）を用いることができる。
【００６３】
このような拡散板７１、第１光学シート７２及び第２光学シート７３としては、いずれも、面光源装置２０の十分な照度を確保する観点から、可視光透過率の高いものを用いることが好ましい。
【００６４】
以下、本開示の実施形態の一具体例における面光源装置２０のスペーサ部材５０について詳述する。
【００６５】
図９は、本実施形態の面光源装置２０に用いられる複数のスペーサ部材５０の一例を概略的に示す斜視図である。図１０は、本実施形態の面光源装置２０に用いられる複数のスペーサ部材５０の一例を概略的に示す横断面図であり、図９のＦ−Ｆ線に沿った断面を示している。
【００６６】
スペーサ部材５０は、Ｘ方向及びＹ方向に格子状をなすように配置された壁部５１と、Ｘ方向及びＹ方向に配列された複数の開口５２と、を有している。スペーサ部材５０の壁部５１は、スペーサ部材５０の外周壁を構成する外周壁部５１Ａと、外周壁部５１Ａ内に設けられた区画壁部５１Ｂと、を有している。区画壁部５１Ｂは、ベース部３０と第１光学部材６０との間において、隣り合う二つの光源２２の間に位置するようになる。一方、外周壁部５１Ａは、当該外周壁部５１Ａが含まれるスペーサ部材５０の最外部に位置し、正面視、すなわちＺ方向からの観察において、スペーサ部材５０の外輪郭を形成している。
【００６７】
図示された例において、外周壁部５１Ａは、複数のスペーサ部材５０の組み合わせ体の最外部に位置し当該組み合わせ体の外輪郭を形成する壁部５１と、他のスペーサ部材５０の外周壁部５１Ａと重ね合わされる壁部５１と、を含む。ここで重ね合わされるとは、隣り合う二つのスペーサ部材５０の外周壁部５１Ａが近接して対面することを意味しており、典型的には、二つの外周壁部５１Ａの外周面が少なくとも部分的に面で対面することを意味し、実際に接触しているか否かは問わない。図示された例においては、一つのスペーサ部材５０の外周壁部５１Ａの一つの平坦面が、その全域において、他の一つのスペーサ部材５０の外周壁部５１Ａの一つの平坦面の全域と接触している。
【００６８】
図示された外周壁部５１Ａは、正面視において四角形形状の四辺、とりわけ矩形形状の四辺、更に厳密には正方形の四辺に沿って延びている。区画壁部５１Ｂは、正面視において格子状、とりわけ正方格子状である。また、外周壁部５１Ａ及び区画壁部５１Ｂの頂面（正面側の面）を含む平面と外周壁部５１Ａ及び区画壁部５１Ｂの底面（背面側の面）を含む平面とは、ともに、面光源装置２０の出光面２０ａと平行になるように形成されている。すなわち、図示された例において、外周壁部５１Ａ及び区画壁部５１Ｂの頂面を含む平面と外周壁部５１Ａ及び区画壁部５１Ｂの底面を含む平面は、ＸＹ平面と平行であり、Ｚ方向に垂直となっている。
【００６９】
外周壁部５１Ａは、四角形形状の４つの辺に対応する４つの外周壁要素５１Ａ−１、５１Ａ−２、５１Ａ−３及び５１Ａ−４を有しており、これらのそれぞれの外側の壁面に対応する４つの外周壁面Ｆ１、Ｆ２、Ｆ３及びＦ４を有している。図９及び図１０に示す例においては、四角形形状の外周壁部５１ＡのＸ方向側の辺に対応する部分が外周壁要素５１Ａ−１（第１外周壁要素）である。外周壁要素５１Ａ−１に隣接する、四角形形状の−Ｙ方向側の辺に対応する部分が外周壁要素５１Ａ−２（第２外周壁要素）である。外周壁要素５１Ａ−１に対向する、四角形形状の−Ｘ方向側の辺に対応する部分が外周壁要素５１Ａ−３（第３外周壁要素）である。外周壁要素５１Ａ−２に対向する、四角形形状のＹ方向側の辺に対応する部分が外周壁要素５１Ａ−４（第４外周壁要素）である。そして、外周壁要素５１Ａ−１のＸ方向側の面が外周壁面Ｆ１（第１外周壁面）であり、外周壁要素５１Ａ−２の−Ｙ方向側の面が外周壁面Ｆ２（第２外周壁面）であり、外周壁要素５１Ａ−３の−Ｘ方向側の面が外周壁面Ｆ３（第３外周壁面）であり、外周壁要素５１Ａ−４のＹ方向側の面が外周壁面Ｆ４（第４外周壁面）である。
【００７０】
図９から図１１に示されたスペーサ部材５０の外周壁部５１Ａの壁厚ＴＡは、すべての外周壁要素５１Ａ−１、５１Ａ−２、５１Ａ−３及び５１Ａ−４において、その区画壁部５１Ｂの壁厚ＴＢよりも薄く形成されている。とりわけ、図示された例では、外周壁部５１Ａは、その壁厚ＴＡが区画壁部５１Ｂの壁厚ＴＢの半分となるように形成されている。また、図示された例において、外周壁部５１Ａは、そのいずれの位置においても、一定の壁厚ＴＡを有している。さらに、図示された例において、区画壁部５１Ｂは、そのいずれの位置においても、一定の壁厚ＴＢを有している。
【００７１】
図１１は、スペーサ部材５０が面光源装置２０内に配置された状態を概略的に示す正面図である。図示された例では、複数の同一形状のスペーサ部材５０が、互いの外周壁部５１Ａが接合するように、より具体的には、互いの外周壁面Ｆ１、Ｆ２、Ｆ３及びＦ４が重ね合わされるように、Ｘ方向及びＹ方向に配列されている。複数のスペーサ部材５０は、接着剤、粘着剤、両面テープなどの固定手段により、互いに固定される。または、スペーサ部材５０は、他のスペーサ部材５０との固定はせずに、照度分布調整板６０及び光源基板積層体４０のみに固定する構成としてもよい。
【００７２】
図９、図１０及び図１１に示された例では、複数のスペーサ部材５０が配置された状態において、２つのスペーサ部材５０の外周壁面Ｆ１、Ｆ２、Ｆ３及びＦ４が重ね合う接合部５５の外周壁部５１Ａの壁厚ＴＡの合計ＴＣが、区画壁部５１Ｂの壁厚ＴＢと同一になっている。二つの外周壁部５１Ａが重ね合わされた接合部５５での合計壁厚ＴＣは、スペーサ部材５０同士が接着剤などにより固定されている場合には、二つの外周壁部５１Ａの壁厚ＴＡだけでなく、その接着剤なども含む厚さとする。
【００７３】
このように、外周壁部５１Ａの壁厚ＴＡを区画壁部５１Ｂの壁厚ＴＢよりも薄くすることにより、接合部５５での壁部５１の合計の壁厚ＴＣと区画壁部５１Ｂの壁厚ＴＢとの差を小さくすることができる。これにより、面光源装置２０での利用時における、スペーサ部材５０の接合部５５付近における光学ムラの発生を抑制することができる。さらに、接合部５５での外周壁部５１Ａの合計壁厚ＴＣと区画壁部５１Ｂの壁厚ＴＢとを同一にすることによって、面光源装置２０での利用時における、スペーサ部材５０の接合部５５付近における光学ムラの発生をさらに抑制することができる。
【００７４】
図１２は、スペーサ部材５０の第１変形例を説明するための図である。図１２は、スペーサ部材５０が面光源装置２０内に配置された状態を概略的に示す正面図であって、図１１と同様の視野にて複数のスペーサ部材５０を示している。この第１変形例のスペーサ部材５０は、外周壁部５１Ａの壁厚ＴＡと区画壁部５１Ｂの壁厚ＴＢとが同じになるように形成されている。本開示の実施形態のスペーサ部材５０においては、このように、外周壁部５１Ａの壁厚ＴＡを区画壁部５１Ｂの壁厚ＴＢと同じになるように形成されていてもよい。ただし、接合部５５付近における光学ムラの発生を抑制するために、図１０及び図１１に示したスペーサ部材５０のように、外周壁部５１Ａの壁厚ＴＡを区画壁部５１Ｂの壁厚ＴＢよりも薄いものとするのが好ましい。
【００７５】
図９及び図１０に示されたスペーサ部材５０は、外周壁部５１Ａに凸部５３及び凹部５４を有している。より具体的には、スペーサ部材５０は、その外周壁面Ｆ１及びＦ４の中央部付近に凸部５３を有し、外周壁面Ｆ２及びＦ３の中央部付近に凹部５４を有している。凸部５３は、外周壁面Ｆ１及びＦ４への法線方向に突出している。凹部５４は、外周壁面Ｆ２及びＦ３の法線方向に凹んでいる。
【００７６】
この外周壁面Ｆ１及びＦ４の凸部５３は、隣接して配置されるスペーサ部材５０の外周壁面Ｆ３及びＦ２の凹部５４に収容可能な形状を有している。この外周壁面Ｆ１及びＦ４の凸部５３が、隣接して配置されるスペーサ部材５０の外周壁面Ｆ３及びＦ２の凹部５４に収容されることで、凸部５３が設けられたスペーサ部材５０と凹部５４が設けられたスペーサ部材５０との相対移動を規制することができる。
【００７７】
外周壁面Ｆ２及びＦ３の凹部５４は、隣接して配置されるスペーサ部材５０の外周壁面Ｆ４及びＦ１の凸部５３を収容可能な形状を有している。外周壁面Ｆ２及びＦ３の凹部５４が、隣接して配置されるスペーサ部材５０の外周壁面Ｆ４及びＦ１の凸部５３を収容することで、凹部５４が設けられたスペーサ部材５０と凸部５３が設けられたスペーサ部材５０との相対移動を規制することができる。すなわち、凸部５３及び凹部５４は、互いに係合することによって隣り合う二つのスペーサ部材５０との相対移動を規制する規制手段として機能する。
【００７８】
図１３は、スペーサ部材５０の外周壁面Ｆ１、Ｆ２、Ｆ３及びＦ４の凸部５３及び凹部５４の一例を概略的に示す縦断面図であり、図１１のＧ−Ｇ線に沿った断面を示している。図１４は、スペーサ部材５０の外周壁面Ｆ１、Ｆ２、Ｆ３及びＦ４の凸部５３及び凹部５４の一例を概略的に示す横断面図であって、図１３のＨ−Ｈ線に沿った断面を示している。図１３及び図１４においては、スペーサ部材５０が面光源装置２０内に配置されたときの光源２２、光源基板積層体４０及び照度分布調整板６０が、点線で示されている。
【００７９】
図示された例では、スペーサ部材５０の凸部５３は、略四角錐状の突起として形成され、凹部５４は、略四角錐状の窪みとして形成されている。凸部５３と凹部５４とは、互いに係合するように同様の形状、すなわち相補的な形状を有している。これにより、凸部５３と凹部５４とは、互いに係合した状態において、互いに接合したスペーサ部材５０の水平方向（Ｘ方向又はＹ方向）及び垂直方向（Ｚ方向）の相対的な移動を規制する。これにより、複数のスペーサ部材５０を配置する際の位置決めを容易にすることができ、面発光装置２０の製造時に、スペーサ部材５０の接合部５５に隙間が生じたり、スペーサ部材５０同士が押し合ったりすることを抑制することができる。この凸部５３及び凹部５４の大きさは、一例として、幅が０．１ｍｍから１．５ｍｍ程度であり、高さ又は深さが０．１ｍｍから１．５ｍｍ程度である。
【００８０】
なお、図示された例では、図１３においてよく示されているとおり、凹部５４が垂直方向（Ｚ方向）において凸部５３よりも大きめに形成されている。これにより、凸部５３と凹部５４とは、複数のスペーサ部材５０が接合した状態において、それぞれのスペーサ部材５０が垂直方向（Ｚ方向）に所定の距離だけ移動ができるようになっている。これは、スペーサ部材５０の製造において生じる壁部５１の高さ（Ｚ方向の高さ）のばらつきに対応するためである。
【００８１】
射出成形によるスペーサ部材５０の製造においては、通常、壁部５１の高さのばらつき、例えば製造誤差に起因したばらつきが発生する。そのため、複数のスペーサ部材５０を接合したときに、複数のスペーサ部材５０の頂面（正面側の面）及び底面（背面側の面）の垂直方向の位置（すなわち、Ｚ方向の位置）にばらつきが生じることになる。しかし、接合されたスペーサ部材５０が垂直方向（Ｚ方向）に所定の距離だけ移動ができる場合には、複数のスペーサ部材５０の頂面又は底面の垂直方向の位置の一方を揃えることが可能となる。そして、本開示の発明者らによる研究の結果、本実施形態の面光源装置２０においては、光学的な影響の観点から、照度分布調整板６０と接することになる複数のスペーサ部材５０の頂面の垂直方向の位置を揃えることが好ましいことが見いだされた。そのため、図示された例では、複数のスペーサ部材５０が接合した状態において、スペーサ部材５０の壁部５１の頂面の垂直方向の位置を揃えるために、それぞれのスペーサ部材５０が垂直方向（Ｚ方向）に所定の距離だけ移動ができるように構成されている。この所定の距離は、スペーサ部材５０の製造において生じる壁部５１の高さのばらつきの大きさに対応して設定される。
【００８２】
図１５は、スペーサ部材５０の第２変形例を説明するための図である。図１５は、第２変形例のスペーサ部材５０の外周壁面Ｆ１、Ｆ２、Ｆ３及びＦ４の凸部５３及び凹部５４の一例を概略的に示す縦断面図であって、図１３と同様の断面を示している。この第２変形例では、複数のスペーサ部材５０が接合した状態において、それぞれのスペーサ部材５０が垂直方向（Ｚ方向）にも移動ができないようになっている。スペーサ部材５０の壁部５１の高さに面光源装置２０の光学的な影響が出るほどのばらつきが生じないように精密に形成されたスペーサ部材５０においては、このような構成とすることが可能である。このようなスペーサ部材５０は、垂直方向（Ｚ方向）の位置決めがより容易となるという利点を有している。
【００８３】
図９、図１０、図１３から図１５に示された例では、スペーサ部材５０の凸部５３及び凹部５４は、略四角錐状の突起及び窪みとして形成されているが、スペーサ部材５０の凸部５３及び凹部５４の形状はこれに限られない。スペーサ部材５０の凸部５３及び凹部５４は、円柱状、四角柱状、半円状などの他の立体形状を有する突起及び窪みとして形成してもよい。また、図示された例では、スペーサ部材５０の凸部５３及び凹部５４は、外周壁部５１Ａの各外周壁面の中央部付近に１つだけ設けられているが、スペーサ部材５０の凸部５３及び凹部５４の配置はこれに限られない。外周壁部５１Ａの各外周壁面に複数の凸部５３及び凹部５４が任意の場所に配置されていてもよい。
【００８４】
図１６は、スペーサ部材５０の第３変形例を説明するための図である。図１６は、第３変形例のスペーサ部材５０が面光源装置２０内に配置された状態を概略的に示す正面図である。この第３変形例のスペーサ部材５０は、外周壁部５１Ａのうち他のスペーサ部材５０との接合部５５をなす壁部のみの壁厚ＴＡが区画壁部５１Ｂの壁厚ＴＢよりも薄く形成されている。一方、外周壁部５１Ａのうち他のスペーサ部材５０との接合部５５以外の壁部の壁厚ＴＡ、とりわけ図示された例においては、複数のスペーサ部材５０において最外部に位置する壁部の壁厚ＴＡが、区画壁部５１Ｂの壁厚ＴＢと同じとなるように形成されている。図１６に示された例では、複数のスペーサ部材５０が配置された状態において、二つの外周壁部５１Ａを含んでいる複数のスペーサ部材５０の接合部５５での合計壁厚ＴＣが区画壁部５１Ｂの壁厚ＴＢと同一になっている。
【００８５】
このように、本開示の実施形態のスペーサ部材５０は、外周壁部５１Ａのうち他のスペーサ部材５０の外周壁部５１Ａと重ね合わされる部分のみの壁厚ＴＡが区画壁部５１Ｂの壁厚ＴＢよりも薄く形成されたものであってもよい。そのため、本開示の実施形態のスペーサ部材５０は、少なくとも他のスペーサ部材５０の外周壁部５１Ａと重ね合わされる外周壁要素５１Ａ−１、５１Ａ−２、５１Ａ−３又は５１Ａ−４の壁厚ＴＡが区画壁部５１Ｂの壁厚ＴＢよりも薄く形成されたものであればよい。また、本開示の実施形態のスペーサ部材５０は、少なくとも他のスペーサ部材５０の外周壁部５１Ａと重ね合わされる外周壁要素５１Ａ−１、５１Ａ−２、５１Ａ−３又は５１Ａ−４の壁厚ＴＡが区画壁部５１Ｂの壁厚ＴＢの半分となるように形成されたものであればよりよい。
【００８６】
ただし、図１０及び図１１に示されたスペーサ部材５０のように、外周壁部５１Ａのすべての外周壁要素５１Ａ−１、５１Ａ−２、５１Ａ−３及び５１Ａ−４の壁厚ＴＡが区画壁部５１Ｂの壁厚よりも薄く形成されたものとすることにより、一種類の同一形状のスペーサ部材５０のみで面光源装置２０を構成することが可能となる。図１６に示されたスペーサ部材５０を用いる場合には、通常、３種類の形状のスペーサ部材５０が必要となる。
【００８７】
また、本開示の実施形態のスペーサ部材５０は、他のスペーサ部材５０との接合部５５となる外周壁面Ｆ１、Ｆ２、Ｆ３又はＦ４のみに凸部５３又は凹部５４を有するものであってもよい。そのため、本開示の実施形態のスペーサ部材５０の外周壁部５１Ａは、その外周壁部５１Ａと重ね合わされることになる他のスペーサ部材５０の外周壁部５１Ａに設けられた凹部５４又は凸部５３と係合する、凸部５３又は凹部５４を有していればよい。ただし、例えば図１０及び図１１に示されたスペーサ部材５０のように、すべての外周壁面Ｆ１、Ｆ２、Ｆ３及びＦ４に凸部５３又は凹部５４を有するものとすることにより、一種類の同一形状のスペーサ部材５０のみで面光源装置２０を構成することが可能となる。
【００８８】
図１７は、スペーサ部材５０の第４変形例を説明するための図である。図１７は、第４変形例の面光源装置２０に用いられる複数のスペーサ部材５０の一例を概略的に示す斜視図である。図１８は、第４変形例のスペーサ部材５０が面光源装置２０内に配置された状態を概略的に示す斜視図である。図１９は、第４変形例のスペーサ部材５０が面光源装置２０内に配置された状態における外周壁部５１Ａの周辺部を概略的に示す縦断面図であって、図１８のＩ−Ｉ線に沿った断面図である。図１９においては、スペーサ部材５０が面光源装置２０内に配置されたときの光源２２、光源基板積層体４０及び照度分布調整板６０が、点線で示されている。
【００８９】
第４変形例のスペーサ部材５０は、図９から図１１に示されたスペーサ部材５０と同様、その外周壁部５１Ａの外周壁面Ｆ１、Ｆ２、Ｆ３及びＦ４のそれぞれに、図９から図１１に示された凸部５３又は凹部５４を有している。この凸部５３又は凹部５４の形状、配置及び機能は、図９から図１１に示されたスペーサ部材５０の凸部５３又は凹部５４と同じである。また、図１８に示された例では、図９〜図１１に示されたスペーサ部材５０と同様、複数のスペーサ部材５０が配置された状態において、複数のスペーサ部材５０の接合部５５での壁部５１の合計壁厚ＴＣが区画壁部５１Ｂの壁厚ＴＢと同一になっている。
【００９０】
第４変形例のスペーサ部材５０の４つの外周壁面Ｆ１、Ｆ２、Ｆ３及びＦ４は、外周壁部５１Ａの頂面を含む平面（ＸＹ平面）に垂直な方向（Ｚ方向）から、前記外周壁部５１Ａの外周方向と直交する方向へ、傾斜している。さらに、互いに対向する外周壁面Ｆ１、Ｆ２、Ｆ３及びＦ４同士が平行となっている。図示された例では、外周壁面Ｆ１は、Ｚ方向から−Ｘ方向へ傾斜しており、外周壁面Ｆ２は、Ｚ方向から−Ｙ方向へ傾斜しており、外周壁面Ｆ３は、Ｚ方向から−Ｘ方向に傾斜しており、外周壁面Ｆ４は、Ｚ方向から−Ｙ方向へ傾斜している。そして、外周壁面Ｆ１と外周壁面Ｆ３とが平行であり、外周壁面Ｆ２と外周壁面Ｆ４とが平行となっている。
【００９１】
結果として、ベース部３０と光学部材６０との間に複数の第４変形例に係るスペーサ部材５０をＸ方向およびＹ方向に並べた場合、隣り合う二つのスペーサ部材５０の重なり合う外周壁面Ｆ１、Ｆ２、Ｆ３及びＦ４同士が、平行となる。これにより、隣り合う二つのスペーサ部材５０の相対位置を精度良く調整することができる。
【００９２】
さらに、本開示の発明者らによる研究の結果、スペーサ部材５０の接合部５５の外周壁面Ｆ１、Ｆ２、Ｆ３又はＦ４を傾斜させることによって、スペーサ部材５０の接合部５５の隙間を小さくし、隣り合うスペーサ部材５０の外周壁面Ｆ１、Ｆ２、Ｆ３又はＦ４の間からの光の漏れを抑制できることが見いだされた。この外周壁面Ｆ１、Ｆ２、Ｆ３及びＦ４の傾斜の角度αは、光学的及び構造的な観点から、５度から４５度とするのが好ましい。
【００９３】
本開示の実施形態のスペーサ部材５０は、他のスペーサ部材５０の外周壁部５１Ａと重ね合わされる外周壁面Ｆ１、Ｆ２、Ｆ３又はＦ４のみが傾斜したものであってもよい。そのため、本開示の実施形態のスペーサ部材５０は、少なくとも他のスペーサ部材５０の外周壁部５１Ａと重ね合わされる外周壁面Ｆ１、Ｆ２、Ｆ３又はＦ４が傾斜したものであればよい。ただし、第４変形例のスペーサ部材５０のように、すべての外周壁面Ｆ１、Ｆ２、Ｆ３及びＦ４を傾斜したものとすることにより、一種類の同一形状のスペーサ部材５０のみで面光源装置２０を構成することが可能となる。
【００９４】
図２０Ａ、図２０Ｂ及び図２０Ｃは、本実施形態の面光源装置２０の製造方法を概略的に示す斜視図である。
【００９５】
図２０Ａに示すように、最初に、複数のスペーサ部材５０を照度分布調整板６０に固定する。複数のスペーサ部材５０と照度分布調整板６０とは、接着剤、粘着剤、両面テープ、ネジなどの固定手段により、互いに固定される。このとき、複数のスペーサ部材５０は、接着剤、粘着剤、両面テープなどの固定手段により、互いに固定される。しかし、スペーサ部材５０は、他のスペーサ部材５０と固定せずに、照度分布調整板６０のみに固定してもよい。
【００９６】
複数のスペーサ部材５０を照度分布調整板６０に固定するとき、それぞれのスペーサ部材５０の頂面（正面側の面）が照度分布調整板６０の表面（背面側の面）に接することにより、複数のスペーサ部材５０の頂面の垂直方向の位置が揃えられることになる。
【００９７】
次に、図２０Ｂに示すように、照度分布調整板６０に固定された複数のスペーサ部材５０を光源基板積層体４０の上に配置する。複数のスペーサ部材５０と照度分布調整板６０とは、接着剤、粘着剤、両面テープ、ネジなどの固定手段により、互いに固定される。この固定手段は、複数のスペーサ部材５０の底面の垂直方向の位置のばらつきを吸収するものであることが好ましい。一例として、ある程度の厚みのある接着剤、粘着剤又は両面テープを用いたり、固定部分を分散配置したりすることが考えられる。
【００９８】
最後に、図２０Ｃに示すように、光源基板積層体４０、スペーサ部材５０及び照度分布調整板６０からなる積層体にベース部材３５と第２光学部材７０とが固定される。当該積層体とベース部材３５とは、接着剤、粘着剤、両面テープ、ネジなどの固定手段により、互いに固定され、当該積層体と第２光学部材７０とは、接着剤、粘着剤、両面テープ、ネジなどの固定手段により、互いに固定される。
【００９９】
なお、光源基板積層体４０の基板４１として、リジッド基板ではなく、フレキシブル基板を用いる場合には、光源基板積層体４０をベース部材３５に固定した後に、スペーサ部材５０を光源基板積層体４０及びベース部材３５に固定することになる。また、リジッド基板を用いる場合であっても、光源基板積層体４０をベース部材３５に固定した後に、スペーサ部材５０を光源基板積層体４０及びベース部材３５に固定するようにしてもよい。
【０１００】
図２１は、本実施形態の面光源装置の製造方法によって製造された面光源装置２０のスペーサ部材５０の接合部５５周辺を概略的に示す縦断面図である。この図においては、凸部５３及び凹部５４の記載が省略されている。この図に示されているように、本実施形態の面光源装置の製造方法によって製造された面光源装置２０においては、スペーサ部材５０の壁部５１の高さにばらつきが発生していても、スペーサ部材５０の接合部５５付近において、スペーサ部材５０の頂面の垂直方向の位置が揃ったものとなっている。
【０１０１】
図２２Ａ及び図２２Ｂは、比較例の面光源装置の製造方法によって製造された面光源装置２０のスペーサ部材５０の接合部５５周辺を概略的に示す縦断面図である。これらの面光源装置２０は、複数のスペーサ部材５０を光源基板積層体４０に固定した後に、照度分布調整板６０を複数のスペーサ部材５０に固定することにより製造されたものである。図２２Ａに示す例においては、スペーサ部材５０の壁部５１の高さのばらつきにより、照度分布調整板６０に段差が生じている。図２２Ｂに示す例においては、スペーサ部材５０の壁部５１の高さのばらつきにより、照度分布調整板６０とスペーサ部材５０との間に隙間が生じている。このように、照度分布調整板６０に段差が生じたり、照度分布調整板６０とスペーサ部材５０との間に隙間が生じたりすると、面光源装置２０に光学的な影響が生じることになり、好ましくない。
【０１０２】
このように、本実施形態の面光源装置２０の製造方法のように、複数のスペーサ部材５０を照度分布調整板６０に固定した後に、複数のスペーサ部材５０を光源基板積層体４０に固定するのが好ましい。
【０１０３】
以上の実施形態の面光源装置は、大型のスペーサ部材５０を用いる必要がなく様々なサイズに対応することができ、大型化に好適なものとなる。
【０１０４】
なお、上述した実施形態に対して様々な変更を加えた変形例に対しても本発明を適用することが可能であり、そのような実施の形態及び変形例の組み合わせに対しても本発明を適用することが可能である。
【０１０５】
本実施形態の光学部材は、照度分布調整板６０からなる第１光学部材６０と、拡散板７１、第１光学シート７２及び第２光学シート７３からなる第２光学部材７０と、を有するものであるが、本開示の実施形態の光学部材は、これに限定されず、少なくとも光源からの光に対して反射、屈折、回折等の光学的作用を及ぼし得る部材であればよい。例えば、本実施形態の光学部材は、拡散板のみからなるものであってもよい。また、本実施形態のベース部３０は、ベース部材及び光源基板積層体４０を有するものであるが、本開示の実施形態のベース部３０は、これに限定されず、複数の光源２２を支持するものであればよい。
【０１０６】
また、本実施形態のスペーサ部材５０の外周壁部５１Ａは、正面視において、すなわちＺ方向から見て、四角形形状、とりわけ矩形形状であるが、本開示の実施形態の外周壁部はこれに限定されず、面光源装置２０の出光面２０ａに平行な面内の任意の２方向に接合して配列できる形状のものであればよく、平行四辺形や、各辺が曲線や波線やジグザグ線などによって構成されたものであってもよい。本明細書における「四角形形状」との用語は、このような形状も含むものとする。
【符号の説明】
【０１０７】
１０  表示装置  
１５  表示パネル
１５ａ  表示面
２０  面光源装置
２０ａ  出光面
３０  ベース部
３５  ベース部材
４０  光源基板積層体
４１  基板
４２  配線層
４３  レジスト層
４４  光反射層
４５  導電接続層
５０  スペーサ部材
５１  壁部
５１Ａ  外周壁部
５１Ａ−１，５１Ａ−２，５１Ａ−３，５１Ａ−４  外周壁要素
Ｆ１，Ｆ２，Ｆ３，Ｆ４  外周壁面
５１Ｂ  区画壁部
５２  開口
５３  凸部
５４  凹部
５５  接合部
６０  第１光学部材、照度分布調整板
６１  基材
６２  光透過孔
７０  第２光学部材
７１  拡散板
７２  第１光学シート
７３  第２光学シート
Ａａ  区画領域
Ａｂ  要素領域
Ｌａ  区画線
【図１】
2020021711.tif 000003
【図２】
2020021711.tif 000004
【図３】
2020021711.tif 000005
【図４】
2020021711.tif 000006
【図５】
2020021711.tif 000007
【図６】
2020021711.tif 000008
【図７】
2020021711.tif 000009
【図８】
2020021711.tif 000010
【図９】
2020021711.tif 000011
【図１０】
2020021711.tif 000012
【図１１】
2020021711.tif 000013
【図１２】
2020021711.tif 000014
【図１３】
2020021711.tif 000015
【図１４】
2020021711.tif 000016
【図１５】
2020021711.tif 000017
【図１６】
2020021711.tif 000018
【図１７】
2020021711.tif 000019
【図１８】
2020021711.tif 000020
【図１９】
2020021711.tif 000021
【図２０Ａ】
2020021711.tif 000022
【図２０Ｂ】
2020021711.tif 000023
【図２０Ｃ】
2020021711.tif 000024
【図２１】
2020021711.tif 000025
【図２２Ａ】
2020021711.tif 000026
【図２２Ｂ】
2020021711.tif 000027